(57)【要約】      （修正有）【課題】ＯＦケーブルの油通路の絶縁油をＯＦケーブルの中間接続部の採油コネクタからの採油と同等の品質で採取できる装置を提供する。【解決手段】ケーブル部のアルミ被から油通路まで削孔された削孔穴に採油管１１を挿入して油通路の絶縁油を採油するにあたり、油止め栓１２にて削孔穴のアルミ被側の開口部と採油管との隙間から油通路の絶縁油が漏洩するのを防止し、採油バルブ１５は採油管１１で採油された油通路の絶縁油を開操作のときには絶縁油貯留容器１４に送油し閉操作のときには送油を停止するように構成されている。【選択図】図１
2018200287.tif 000002
【特許請求の範囲】
【請求項１】
ＯＦケーブルのケーブル部のアルミ被から油通路まで削孔された削孔穴に挿入され前記油通路の絶縁油を採油する採油管と、
前記削孔穴の前記アルミ被側の開口部と前記採油管との隙間から前記油通路の絶縁油が漏洩するのを防止する油止め栓と、
前記採油管で採油された前記油通路の絶縁油を開操作のときには絶縁油貯留容器に送油し閉操作のときには送油を停止する採油バルブとを備えたことを特徴とするＯＦケーブル採油装置。
【請求項２】
前記油止め栓は、シリコンで形成されたことを特徴とする請求項１記載のＯＦケーブル採油装置。
【請求項３】
ＯＦケーブルのケーブル部の外皮を剥がしアルミ被を露出させ、
露出させたアルミ被の表面を平らにし、
前記アルミ被にドリルで穴を開けて前記アルミ被と絶縁体との間の絶縁油を取り除き、
前記アルミ被と絶縁体との間の絶縁油を除去した後に絶縁油が通油している油通路までドリルで削孔し、
前記アルミ被から前記油通路まで削孔された削孔穴に絶縁油貯留容器を取り付けた請求項１または請求項２記載のＯＦケーブル採油装置の採油管を前記油通路まで挿入し、
前記ＯＦケーブル採油装置の採油バルブを開操作して前記絶縁油貯留容器に前記油通路の絶縁油を採油することを特徴とするＯＦケーブル採油方法。
【請求項４】
前記アルミ被と絶縁体との間の絶縁油を除去した後に絶縁油が通油している油通路までドリルで削孔する際には、前記ＯＦケーブルの種類に応じて、前記アルミ被から前記油通路までの削孔距離を前記ドリルにマーキングしておきマーキング位置まで削孔することを特徴とする請求項３記載のＯＦケーブル採油方法。
【発明の詳細な説明】
【技術分野】
【０００１】
本発明は、ＯＦケーブルから絶縁油を採取するＯＦケーブル採油装置及び方法に関する。
【背景技術】
【０００２】
ＯＦケーブルは油通路を設け、油タンクから大気圧以上の圧力で絶縁油を充填し、絶縁体に絶縁油を含浸させたケーブルである。ＯＦケーブルの絶縁体には絶縁油が含浸されているので、加熱による熱劣化や内部放電による電気的劣化により分解ガスが発生して絶縁油に溶け込む。そこで、絶縁油をＯＦケーブルから採取して油中のガス成分を分析することにより絶縁体の劣化状態を確認している。絶縁油の採油は、主にＯＦケーブルの中間接続部に設置されている採油コネクタより採油を行っている。
【０００３】
絶縁油の採油時及び分析時に絶縁油に空気がふれないようにできるようにしたものがある（例えば、特許文献１参照）。これは、接続箱（中間接続部）の採油口を開閉するコネクタに油密状態でコネクタに開閉動作をさせる開閉治具を着脱可能に装着し、開閉治具にホースで接続されたガス分析用容器を設け、さらに、ガス分析用容器にホースで接続されガス分析用容器から送られた絶縁油を貯留する特性試験用容器を設け、開閉治具とガス分析用容器との間のホースを閉塞又は開放する油留め金具、及びガス分析用容器と特性試験用容器との間のホースを閉塞又は開放する油留め金具を設けたものである。
【０００４】
また、ＯＦケーブルの中間接続部内の絶縁油の誘電正接tanδを測定し、中間接続部の極度に劣化した絶縁油が長期間の設備運用により、ケーブル部へ流動する可能性を確認したものがある（非特許文献１参照）。
【先行技術文献】
【特許文献】
【０００５】
【特許文献１】特開２０１３−９６７０３号公報
【非特許文献】
【０００６】
【非特許文献１】電気学会論文誌Ｂ（電力・エネルギー部門誌）Vo135 No.10 PP.638-643「極度tanδ悪化接続部を含むＯＦケーブル線路の劣化特性」
【発明の概要】
【発明が解決しようとする課題】
【０００７】
しかし、特許文献１のものでは、ガス分析用の絶縁油はＯＦケーブルの中間接続部から採取された絶縁油であり、ケーブル部の油通路の絶縁油ではないので、ケーブル部の油通路の絶縁油の状態を把握することはできない。
【０００８】
また、非特許文献１によれば、ＯＦケーブルの中間接続部の極度に劣化した絶縁油が長期間の設備運用により、ケーブル部の油通路へ流動する可能性が実験より確認できたことから、ケーブル部の油通路から絶縁油を採取し、ＯＦケーブルの中間接続部の絶縁油によるケーブル部の油通路の絶縁油への影響を確認する手法が望まれている。ケーブル部の油通路から絶縁油を採取するにあたっては、ＯＦケーブルの中間接続部からの採油と同等のガス分析が可能となるように、空気に触れず絶縁油を採取する必要がある。
【０００９】
本発明の目的は、ＯＦケーブルの油通路の絶縁油をＯＦケーブルの中間接続部の採油コネクタから採油した絶縁油と同等の品質で採取できるＯＦケーブル採油装置及び方法を提供することである。
【課題を解決するための手段】
【００１０】
本発明の請求項１の発明に係るＯＦケーブル採油装置は、ＯＦケーブルのケーブル部のアルミ被から油通路まで削孔された削孔穴に挿入され前記油通路の絶縁油を採油する採油管と、前記削孔穴の前記アルミ被側の開口部と前記採油管との隙間から前記油通路の絶縁油が漏洩するのを防止する油止め栓と、前記採油管で採油された前記油通路の絶縁油を開操作のときには絶縁油貯留容器に送油し閉操作のときには送油を停止する採油バルブとを備えたことを特徴とする。
【００１１】
請求項２の発明に係るＯＦケーブル採油装置は、請求項１の発明において、前記油止め栓は、シリコンで形成されたことを特徴とする。
【００１２】
請求項３の発明に係るＯＦケーブル採油方法は、ＯＦケーブルのケーブル部の外皮を剥がしアルミ被を露出させ、露出させたアルミ被の表面を平らにし、前記アルミ被にドリルで穴を開けて前記アルミ被と絶縁体との間の絶縁油を取り除き、前記アルミ被と絶縁体との間の絶縁油を除去した後に絶縁油が通油している油通路までドリルで削孔し、前記アルミ被から前記油通路まで削孔された削孔穴に絶縁油貯留容器を取り付けた請求項１または請求項２記載のＯＦケーブル採油装置の採油管を前記油通路まで挿入し、前記ＯＦケーブル採油装置の採油バルブを開操作して前記絶縁油貯留容器に前記油通路の絶縁油を採油することを特徴とする。
【００１３】
請求項４の発明に係るＯＦケーブル採油方法は、請求項３の発明において、前記アルミ被と絶縁体との間の絶縁油を除去した後に絶縁油が通油している油通路までドリルで削孔する際には、前記ＯＦケーブルの種類に応じて、前記アルミ被から前記油通路までの削孔距離を前記ドリルにマーキングしておきマーキング位置まで削孔することを特徴とする。
【発明の効果】
【００１４】
請求項１の発明によれば、ＯＦケーブルのケーブル部のアルミ被から油通路まで削孔された削孔穴に油通路の絶縁油を採油する採油管を挿入し、削孔穴のアルミ被側の開口部と採油管との隙間から油通路の絶縁油が漏洩するのを油止め栓で防止し、採油バルブは、採油管で採油された油通路の絶縁油を開操作のときには絶縁油貯留容器に送油し閉操作のときには送油を停止するので、密閉性を保って油通路の絶縁油を採油でき、ＯＦケーブルの油通路の絶縁油をＯＦケーブルの中間接続部の採油コネクタからの採油と同等の品質で採取できる。これにより、ＯＦケーブルの油通路の劣化程度を知ることができ、ＯＦケーブルの中間接続部の採油コネクタから採油した絶縁油との相関を知ることができる。従って、ＯＦケーブルの中間接続部の採油コネクタから採油した絶縁油の劣化程度から中間接続部絶縁油のケーブル部への流動による影響やＯＦケーブルの油通路の絶縁油の劣化度合いを知ることができる。
【００１５】
請求項２の発明によれば、請求項１の発明の効果に加え、油止め栓はシリコンで形成されているのでアルミ被への密着度が向上する。削孔穴のアルミ被側の開口部と採油管との隙間を効率よく閉止できる。
【００１６】
請求項３の発明によれば、ＯＦケーブルのケーブル部の外皮を剥がしてアルミ被を露出させ、アルミ被と絶縁体との間の絶縁油を除去した後に絶縁油が通油している油通路までドリルで削孔し、絶縁油貯留容器を取り付けた請求項１または請求項２記載の採油管を油通路まで挿入し、ＯＦケーブル採油装置の採油バルブを開操作して絶縁油貯留容器に油通路の絶縁油を採油するので、請求項１と同じ効果が得られる。
【００１７】
請求項４の発明によれば、請求項３の発明の効果に加え、アルミ被と絶縁体との間の絶縁油を除去した後に絶縁油が通油している油通路までドリルで削孔する際には、ＯＦケーブルの種類に応じて、アルミ被から油通路までの削孔距離をドリルにマーキングしておきマーキング位置まで削孔するので、アルミ被から油通路まで効率よく削孔できる。
【図面の簡単な説明】
【００１８】
【図１】本発明の第１実施形態に係るＯＦケーブル採油装置の構成図。
【図２】ＯＦケーブル設備の概略構成図。
【図３】ＯＦケーブルの一例を示す断面図。
【図４】本発明の第１実施形態に係るＯＦケーブル採油装置でＯＦケーブルの油通路の絶縁油を採取する際の削孔穴の削孔工程の説明図。
【図５】図４に示した削孔穴の削孔後に本発明の第１実施形態に係るＯＦケーブル採油装置を用いてＯＦケーブルの油通路の絶縁油を採取している状態を示す説明図。
【図６】本発明の第２実施形態に係るＯＦケーブル採油方法の工程を示すフローチャート。
【図７】ＯＦケーブルの他の一例を示す断面図。
【発明を実施するための形態】
【００１９】
以下、本発明の実施形態を説明する。図１は本発明の第１実施形態に係るＯＦケーブル採油装置の構成図であり、図１（ａ）は採油バルブを開いた状態、図１（ｂ）は採油バルブを閉じた状態を示している。
【００２０】
図１において、ＯＦケーブル採油装置１０は、ＯＦケーブルのケーブル部の油通路から絶縁油を採油する採油管１１と、採油管１１からの採油の際に油通路の絶縁油が漏洩するのを防止する油止め栓１２と、採油管１１で採油された絶縁油を開閉操作部１３の開閉操作により絶縁油貯留容器１４に貯留するための採油バルブ１５とから構成される。
【００２１】
採油管１１は、ＯＦケーブルのケーブル部のアルミ被から油通路まで削孔された削孔穴に挿入され油通路の絶縁油を採油するものである。油止め栓１２は削孔穴のアルミ被側の開口部と採油管との隙間から油通路の絶縁油が漏洩するのを防止するものである。油止め栓１２はアルミ被の表面に密着する弾力性を有する部材、例えばシリコンやゴムなどで構成される。これにより、削孔穴のアルミ被側の開口部と採油管との隙間を塞ぎ、油通路の絶縁油が漏洩するのを防止する。
【００２２】
採油バルブ１５は、図１（ａ）に示すように、開閉操作部１３が開操作されたときは採油管１１で採油されたＯＦケーブルのケーブル部の油通路の絶縁油を絶縁油貯留容器１４に送油し、図１（ｂ）に示すように、開閉操作部１３が閉操作されたときは絶縁油貯留容器１４への送油を停止するものである。
【００２３】
図２はＯＦケーブル設備の概略構成図である。ＯＦケーブル設備の油タンク１６には大気圧以上の圧力で絶縁油が充填され、絶縁体及び導体を収納したケーブル部１７に油通路により絶縁油を供給し絶縁体に絶縁油を含浸させて導体の絶縁を保つようにしている。油タンク１６はケーブル部１７の終端接続部１８に設けられる。図２ではケーブル部１７の双方の終端接続部１８に油タンク１６が設けられた場合を示している。
【００２４】
ケーブル部１７の中間部には複数の中間接続部１９が設けられ、中間接続部１９によりケーブル部１７の接続を行う。図２では２個の中間接続部１９を図示しているが、接続するケーブル部１７の数によりに通常は２個以上の中間接続部１９が設けられる。
【００２５】
また、ケーブル部１７の終端接続部１８及び中間接続部１９には採油コネクタ２０が設けられている。終端接続部１８の採油コネクタ２０は、ケーブル部１７の油通路の絶縁油を採取するものであり、終端接続部１８が油タンク１６に近いことから、終端接続部１８の採油コネクタ２０から採油した絶縁油は油タンク１６の絶縁油と同等の絶縁油である。主として終端接続部１８の絶縁油の分析をするために採油される。
【００２６】
一方、中間接続部１９の採油コネクタ２０は、中間接続部１９で接続されたケーブル部１７の絶縁体に含浸した中間接続部内の絶縁油を採油するものである。中間接続部１９の採油コネクタ２０から採油した絶縁油は、油タンク１６から離れた位置に設けられた中間接続部１９の絶縁油であり、油タンク１６から離れた位置の中間接続部１９の絶縁油の分析をするために採油される。
【００２７】
本発明の第１実施形態に係るＯＦケーブル採油装置１０は、撤去ケーブルを対象として油通路から直接的に絶縁油を採油する。対象とする撤去ケーブルは中間接続部１９間のケーブル部１７である。図２に示すＯＦケーブル設備から撤去予定のケーブル部１７の採油箇所２１に本発明の第１実施形態に係るＯＦケーブル採油装置１０を設置してケーブル部１７の油通路から直接的に絶縁油を採油する。これにより、ＯＦケーブルの油通路の劣化程度を測定し、ＯＦケーブルの中間接続部１９の採油コネクタ２０から採油した絶縁油の劣化程度との相関を調べ、ＯＦケーブルの中間接続部１９の採油コネクタ２０から採油した絶縁油の劣化程度からＯＦケーブルの油通路の絶縁油の劣化度合いを把握できる。
【００２８】
図３はＯＦケーブルの一例を示す断面図である。図３では導体が１本である単芯ケーブルを示している。ＯＦケーブルは、ケーブルの軸心部に導体２２が設けられ、導体２２の中心部には油通路２３を有し、油通路２３に油タンク１６からの絶縁油が供給されている。導体２２の周囲には絶縁体２４が設けられ、導体２２及び絶縁体２４はアルミ被２５に収納されている。そして、アルミ被２５の外側は外皮２６が被覆されている。絶縁体２４には油通路２３から絶縁油が供給され絶縁体２４は絶縁油に含浸されている。絶縁油に含浸された絶縁体２４のアルミ被２５側には絶縁体に含浸した絶縁油の一部の絶縁油２７が滞留している。
【００２９】
本発明の第１実施形態に係るＯＦケーブル採油装置１０が採取する絶縁油は、ＯＦケーブルの導体２２の中心部の油通路２３の絶縁油である。なお、中間接続部１９のコネクタ２０で採取される絶縁油は中間接続部１９内の絶縁油である。
【００３０】
図４は本発明の第１実施形態に係るＯＦケーブル採油装置１０でＯＦケーブルの油通路２３の絶縁油を採取する際の削孔穴の削孔工程の説明図であり、図４（ａ）は削孔対象のＯＦケーブルの断面図、図４（ｂ）はＯＦケーブルの外皮を剥がした状態の断面図、図４（ｃ）はＯＦケーブルのアルミ被まで削孔し絶縁体２４のアルミ被２５側に滞留した絶縁油２７を取り除いている状態の断面図、図４（ｄ）はＯＦケーブルの油通路まで削孔した状態の断面図である。
【００３１】
図４（ａ）に示す削孔対象のＯＦケーブルの外皮２６を剥がし、図４（ｂ）に示すように、アルミ被２５を露出させる。この状態でアルミ被２５の表面側から中心部に向かってドリルで削孔を開始する。図４（ｃ）に示すようにドリルのドリル刃２８が絶縁体２４のアルミ被２５側の絶縁油２７まで到達すると、絶縁油２７がアルミ被の開口部とドリル刃２８との隙間から噴出してくるので、噴出した絶縁油２７を収集する。そして、アルミ被と絶縁体との間の絶縁油２７を取り除く。このようにして、アルミ被２５と絶縁体２４との間の絶縁油２７を除去した後に、絶縁油が通油している油通路２３までドリル刃２８で削孔する。この場合、ＯＦケーブルの種類に応じて、アルミ被２５から油通路２３までの削孔距離をドリルにマーキングしておきマーキング位置まで削孔するようにしてもよい。これにより、アルミ被２５から油通路２３までの削孔穴を効率よく適切に削孔できる。また、削孔穴が形成されると油通路２３から絶縁油が噴出するので、絶縁油が噴出するのを防止するため
アルミ被２５表面の削孔穴の開口部に詰め物を施す。
【００３２】
図５は図４に示した削孔穴の削孔後に本発明の第１実施形態に係るＯＦケーブル採油装置を用いてＯＦケーブルの油通路の絶縁油を採取している状態を示す説明図であり、図５（ａ）は採油バルブが閉操作で採油を停止している状態の説明図、図５（ｂ）は採油バルブが開操作で採油をしている状態の説明図である。
【００３３】
図５（ａ）において、まず、本発明の第１実施形態に係るＯＦケーブル採油装置１０の採油バルブ１５に絶縁油貯留容器１４を取り付ける。絶縁油貯留容器１４は採油した絶縁油を貯留するものである。この場合、採油バルブ１５の開閉操作部１３は閉にしておく。そして、削孔穴の開口部から詰め物を取り外し、図４の削孔工程にて形成された削孔穴に、本発明の第１実施形態に係るＯＦケーブル採油装置１０の採油管１１を挿入する。この状態で、油止め栓１２がアルミ被２５の表面に密着していることを確認する。これにより、削孔穴のアルミ被２５側の開口部と採油管１１との隙間から油通路の絶縁油が漏洩するのを防止する。
【００３４】
図５（ａ）の状態では、採油バルブ１５の開閉操作部１３は閉であるので、油通路２３の絶縁油は絶縁油貯留容器１４に送油されない。なお、油通路２３の絶縁油は大気圧以上の圧力であるので、採油管１１には油通路２３の絶縁油が送油されるが、採油バルブ１５が閉であることから絶縁油貯留容器１４への送油は阻止される。
【００３５】
次に、図５（ｂ）において、採油バルブ１５の開閉操作部１３を開にすると、油通路２３の絶縁油は大気圧以上の圧力であることから採油管２３及び採油バルブ１５を通り絶縁油貯留容器１４に送油される。これにより、絶縁油は絶縁油貯留容器１４に貯留される。採油を停止するときは採油バルブ１５の開閉操作部１３を閉にする。また、削孔穴の開口部に詰め物をして絶縁油の漏洩を防止する。
【００３６】
第１の実施形態によれば、撤去ケーブルであるＯＦケーブルのケーブル部１７のアルミ被２５から油通路２３まで削孔穴を削孔し、削孔された削孔穴に油通路２３の絶縁油を採油するので、撤去ケーブルを有効に利用できる。また、採油管１１を挿入したとき、削孔穴のアルミ被２５側の開口部と採油管１１との隙間から油通路２３の絶縁油が漏洩するのを油止め栓１２で防止するので密閉性が保たれ、絶縁油が空気に触れることがない。従って、ＯＦケーブルの油通路の絶縁油をＯＦケーブルの中間接続部の採油コネクタからの採油した絶縁油と同等の品質で採取できる。
【００３７】
また、採油バルブは、採油管１１で採油された油通路の絶縁油を開操作のときには絶縁油貯留容器に送油し閉操作のときには送油を停止するので、採油する油通路の絶縁油の量を調整できる。また、油通路の絶縁油の劣化程度を知ることができることから、ＯＦケーブルの中間接続部の採油コネクタから採油した絶縁油との相関を知ることができ、ＯＦケーブルの中間接続部の採油コネクタから採油した絶縁油の劣化程度からＯＦケーブルの油通路の絶縁油の劣化度合いを把握できる。
【００３８】
さらには、油止め栓１２はシリコンなどの弾力性のある部材で形成されるのでアルミ被２５への密着度が向上し、削孔穴のアルミ被側の開口部と採油管との隙間を効率よく閉止できる。
【００３９】
次に、本発明の第２実施形態を説明する。図６は本発明の第２実施形態に係るＯＦケーブル採油方法の工程を示すフローチャートである。まず、ＯＦケーブルのケーブル部の外皮を剥がしアルミ被を露出させる（Ｓ１）。外皮を剥がす範囲を決め円周方向に刃入れするとともに軸方向に刃入れをする。そして、必要に応じて加熱しながら外皮を剥がす。
【００４０】
外皮を剥がしアルミ被を露出させると、露出させたアルミ被の表面の凸部を平らにする（Ｓ２）。
アルミ被２５はコルゲート構造であり波打った形状であるので、波打った形状を平らにし作業性を向上できる形状とするためである。
【００４１】
平らにしたアルミ被にドリルで穴を開けてアルミ被と絶縁体との間の絶縁油を取り除く（Ｓ３）。すなわち、平らにしたアルミ被の表面にドリルのドリル刃を接触させ削孔していき、アルミ被と絶縁体との間の絶縁油が噴出してきたら、噴出した絶縁油を収集し、アルミ被と絶縁体との間の絶縁油を取り除く。
【００４２】
次に、アルミ被と絶縁体との間の絶縁油を除去した後に絶縁油が通油している油通路までドリルで削孔する（Ｓ４）。その際には、ＯＦケーブルの種類に応じて、アルミ被から油通路までの削孔距離をドリルにマーキングしておきマーキング位置まで削孔するようにすると、アルミ被から油通路までの削孔穴を効率よく適切に削孔できる。また、削孔穴が形成されると油通路から絶縁油が噴出するので、絶縁油が噴出するのを防止するための詰め物をアルミ被表面の削孔穴の開口部に施すと、絶縁油の噴出を防止できる。
【００４３】
このようにして削孔穴を形成した後に、アルミ被から油通路まで削孔された削孔穴に絶縁油貯留容器を取り付けた第１実施形態のＯＦケーブル採油装置の採油管を油通路まで挿入する（Ｓ５）。削孔穴に第１実施形態のＯＦケーブル採油装置の採油管を油通路まで挿入するにあたっては、ＯＦケーブル採油装置の採油バルブ１５に絶縁油貯留容器を取り付け、また、ＯＦケーブル採油装置の採油バルブ１５の開閉操作部１３は閉にしておく。そして、削孔穴の開口部から詰め物を取り外して、削孔穴に第１実施形態に係るＯＦケーブル採油装置１０の採油管１１を挿入し、油止め栓がアルミ被の表面に密着していることを確認する。
【００４４】
次に、ＯＦケーブル採油装置の採油バルブを開操作して絶縁油貯留容器に油通路の絶縁油を採油する（Ｓ６）。採油バルブの開閉操作部を開にすると、油通路の絶縁油は大気圧以上の圧力であることから採油管及び採油バルブを通り絶縁油貯留容器に送油される。これにより、絶縁油は絶縁油貯留容器に貯留される。採油を停止するときは採油バルブの開閉操作部を閉にする。また、削孔穴の開口部に詰め物をして絶縁油の漏洩を防止する。
【００４５】
第２実施形態によれば、ＯＦケーブルのケーブル部の外皮を剥がしてアルミ被を露出させ、アルミ被と絶縁体との間の絶縁油を除去した後に絶縁油が通油している油通路までドリルで削孔し、絶縁油貯留容器を取り付けた第１実施形態の採油管を油通路まで挿入し、ＯＦケーブル採油装置の採油バルブを開操作して絶縁油貯留容器に油通路の絶縁油を採油するので、第１実施形態と同じ効果が得られる。
【００４６】
また、アルミ被と絶縁体との間の絶縁油を除去した後に絶縁油が通油している油通路までドリルで削孔する際において、ＯＦケーブルの種類に応じて、アルミ被から油通路までの削孔距離をドリルにマーキングしておきマーキング位置まで削孔する場合には、アルミ被から油通路まで効率よく削孔できる。
【００４７】
以上の第１実施形態及び第２実施形態においては、ＯＦケーブルとして単芯ケーブルの場合について説明したが、図７に示す三芯ケーブルについても同様に適用できる。図７において、三芯ケーブルは、導体２２が３本のケーブルであり、ケーブルの軸心を中心としてほぼ２／３πの位置に導体２２が配置されている。導体２２には絶縁体２４が巻回されている。油通路２３はケーブルの軸心を中心として導体２２間に設けられており、導体２２と同様に、ケーブルの軸心を中心としてほぼ２／３πの位置に配置されている。絶縁体２４が巻回された導体２２及び油通路２３の周囲には介在紙２９が設けられ、導体２２、絶縁体２４及び、介在紙２９はアルミ被２５に収納されている。そして、図３に示した単芯ケーブルと同様に、アルミ被２５の外側は外皮２６が被覆されている。絶縁体２４と介在紙２９には油通路２３から絶縁油が供給され絶縁体２４と介在紙２９は絶縁油に含浸されている。絶縁油に含浸された介在紙２９のアルミ被２５側には絶縁体２４と介在紙２９に含浸した絶縁油の一部の絶縁油２７が滞留している。
【００４８】
三芯ケーブルの油通路２３の絶縁油を採取する際の削孔穴の削孔は、図３に示した単芯ケーブルの場合と同様に、ＯＦケーブルの外皮２６を剥がしアルミ被２５を露出させる。この状態でアルミ被２５の表面側から中心部に向かってドリルで削孔を開始する。ドリルのドリル刃２８が介在紙２９のアルミ被２５側に滞留した絶縁油２７まで到達すると、絶縁油２７がアルミ被の開口部とドリル刃２８との隙間から噴出してくるので、噴出した絶縁油２７を収集する。そして、アルミ被と介在紙との間の絶縁油２７を取り除く。このようにして、アルミ被２５と絶縁体２４との間の絶縁油２７を除去した後に、さらにドリル刃２８で削孔する。
【００４９】
この場合、ドリル刃２８が油通路２３に到達すると、絶縁油がアルミ被の開口部とドリル刃２８との隙間から噴出してくるので、ドリル刃が油通路２３に到達したことが分かる。ドリル刃が油通路２３に到達したときは単芯ケーブルの場合と同様に油通路２３から採油する。
【００５０】
一方、ドリル刃が油通路２３に到達せずに金属部材に到達したときは、導体２２に到達したと判断できるので削孔を中止し、ケーブルの軸心を中心としてほぼ１／６πずらした位置にドリル刃を移動して削孔を開始する。これは、油通路２３は導体２２に対してケーブルの軸心を中心としてほぼ１／６πの位置に存在するからである。
【００５１】
次に、ドリル刃が油通路２３や導体２２に到達しないときは、ケーブルの軸心を中心として一方側に少しずらした位置にドリル刃を移動して削孔を開始する。ドリル刃が油通路２３や導体２２に到達しないときは、ドリル刃が油通路２３と導体２２との中間位置を削孔している判断できるからである。
【００５２】
このようにして、絶縁油が通油している油通路２３までドリル刃２８で削孔する。この場合、ＯＦケーブルの種類に応じて、アルミ被２５から油通路２３までの削孔距離をドリルにマーキングしておきマーキング位置まで削孔するようにしてもよい。これにより、アルミ被２５から油通路２３までの削孔穴を効率よく適切に削孔できる。また、削孔穴が形成されると油通路２３から絶縁油が噴出するので、単芯ケーブルの場合と同様に、絶縁油が噴出するのを防止するための詰め物を施す。これにより、ＯＦケーブルが三芯ケーブルである場合にも適用できる。
【００５３】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５４】
１０…ＯＦケーブル採油装置
１１…採油管
１２…油止め栓
１３…開閉操作部
１４…絶縁油貯留容器
１５…採油バルブ
１６…油タンク
１７…ケーブル部
１８…終端接続部
１９…中間接続部
２０…採油コネクタ
２１…採油箇所
２２…導体
２３…油通路
２４…絶縁体
２５…アルミ被
２６…外皮
２７…絶縁油
２８…ドリル刃
２９…介在紙
【図１】
2018200287.tif 000003
【図２】
2018200287.tif 000004
【図３】
2018200287.tif 000005
【図４】
2018200287.tif 000006
【図５】
2018200287.tif 000007
【図６】
2018200287.tif 000008
【図７】
2018200287.tif 000009